(57)【特許請求の範囲】
【請求項１】
消耗品を使用する測定装置と通信回線を介して接続され、前記測定装置の使用者への消耗品の供給を管理する消耗品供給管理装置であって、
前記測定装置において、消耗品の消費状況に関する情報を含む、当該測定装置の稼働状況データが作成され、
前記測定装置の使用者における消耗品の在庫状況に関する情報を含む消耗品在庫データを記憶する在庫データ記憶部と、
前記測定装置から前記通信回線を介して前記稼働状況データを受信するデータ受信部と、
前記データ受信部により受信した前記稼働状況データに基づいて前記測定装置における前記消耗品の消費量を求め、前記在庫データ記憶部における前記消耗品在庫データを更新するデータ処理部と、
前記データ処理部により更新された前記消耗品在庫データに基づいて、前記測定装置の使用者へ消耗品を供給する必要があるか否かを判断する供給判断部とを備え、
前記測定装置で使用される前記消耗品が、１検体につき１単位が使用される検体用消耗品を含み、
前記稼働状況データが、各測定についての測定時刻を含み、
前記データ処理部が、複数の測定における前記測定時刻の差が所定時間内にあるとき、これら複数の測定が同一検体を用いた測定であると判断し、これら複数の測定における前記検体用消耗品の消費量を前記１単位と判断することを特徴とする消耗品供給管理装置。
【請求項２】
前記供給判断部が消耗品を供給する必要があると判断した場合に、前記使用者へ当該消耗品を供給するための命令を発する制御部をさらに備えた請求項１に記載の消耗品供給管理装置。
【請求項３】
前記測定装置の使用者における消耗品の在庫必要数量が予め前記在庫データ記憶部に定められ、
前記供給判断部が、前記データ処理部により更新された前記消耗品の在庫量と、前記在庫必要数量とを比較することにより、前記測定装置の使用者へ消耗品を供給する必要があるか否かを判断する請求項１または２に記載の消耗品供給管理装置。
【請求項４】
前記制御部が、前記使用者へ供給する消耗品の数量を、当該使用者について予め定められた数量とする請求項２または３に記載の消耗品供給管理装置。
【請求項５】
前記制御部が、前記使用者へ供給する消耗品の数量を、当該使用者における前記消耗品の消費実績より決定する請求項２または３に記載の消耗品供給管理装置。
【請求項６】
前記制御部が、前記使用者へ供給する消耗品の数量を、当該消耗品の消費量の時期変動に応じて決定する請求項２または３に記載の消耗品供給管理装置。
【請求項７】
前記制御部が、複数の使用者へ同種の消耗品を供給する命令を行う場合、当該消耗品の消費量が多い使用者に対し、前記消費量が少ない使用者よりも、有効期限の近いロットを供給する命令を発する請求項２ないし６のいずれか一項に記載の消耗品供給管理装置。
【請求項８】
前記検体用消耗品の１単位が、検体容器およびサンプリング用チップの少なくとも一方を含む請求項１に記載の消耗品供給管理装置。
【請求項９】
消耗品を使用する測定装置と、前記測定装置の使用者への消耗品の供給を管理する消耗品供給管理装置とを、通信回線を介して接続した消耗品供給管理システムであって、
前記測定装置が、
消耗品の消費状況に関する情報を含む、当該測定装置の稼働状況データを記憶する稼働状況記憶部と、
前記稼働状況データを前記通信回線を介して前記消耗品供給管理装置へ送信するデータ送信部とを備え、
前記消耗品供給管理装置が、
前記測定装置の使用者における消耗品の在庫状況に関する情報を含む消耗品在庫データを記憶する在庫データ記憶部と、
前記測定装置から前記通信回線を介して前記稼働状況データを受信するデータ受信部と、
前記データ受信部により受信した前記稼働状況データに基づいて前記測定装置における前記消耗品の消費量を求め、前記在庫データ記憶部における前記消耗品在庫データを更新するデータ処理部と、
前記データ処理部により更新された前記消耗品在庫データに基づいて、前記測定装置の使用者へ消耗品を供給する必要があるか否かを判断する供給判断部とを備え、
前記測定装置で使用される前記消耗品が、１検体につき１単位が使用される検体用消耗品を含み、
前記稼働状況データが、各測定についての測定時刻を含み、
前記データ処理部が、複数の測定における前記測定時刻の差が所定時間内にあるとき、これら複数の測定が同一検体を用いた測定であると判断し、これら複数の測定における前記検体用消耗品の消費量を前記１単位と判断することを特徴とする消耗品供給管理システム。
【請求項１０】
前記消耗品供給管理装置が、前記供給判断部が消耗品を供給する必要があると判断した場合に、前記使用者へ当該消耗品を供給するための命令を発する制御部をさらに備えた請求項９に記載の消耗品供給管理システム。
【請求項１１】
前記測定装置の使用者における消耗品の在庫必要数量が予め前記在庫データ記憶部に定められ、
前記消耗品供給管理装置の供給判断部が、前記データ処理部により更新された前記消耗品の在庫量と、前記在庫必要数量とを比較することにより、前記測定装置の使用者へ消耗品を供給する必要があるか否かを判断する請求項９または１０に記載の消耗品供給管理システム。
【請求項１２】
前記消耗品供給管理装置の制御部が、前記使用者へ供給する消耗品の数量を、当該使用者について予め定められた数量とする請求項１０または１１に記載の消耗品供給管理システム。
【請求項１３】
前記消耗品供給管理装置の制御部が、前記使用者へ供給する消耗品の数量を、当該使用者における前記消耗品の消費実績より決定する請求項１０または１１に記載の消耗品供給管理システム。
【請求項１４】
前記消耗品供給管理装置の制御部が、前記使用者へ供給する消耗品の数量を、当該消耗品の消費量の時期的変動に応じて決定する請求項１０または１１に記載の消耗品供給管理システム。
【請求項１５】
前記消耗品供給管理装置の制御部が、複数の使用者へ同種の消耗品を供給する命令を行う場合、当該消耗品の消費量が多い使用者へ、前記消費量が少ない使用者よりも有効期限の近いロットを供給する命令を発する請求項１０ないし１４のいずれか一項に記載の消耗品供給管理システム。
【請求項１６】
前記検体用消耗品の１単位が、検体容器およびサンプリング用チップの少なくとも一方を含む請求項９に記載の消耗品供給管理システム。
【請求項１７】
消耗品を使用する測定装置と通信回線を介して接続され、前記測定装置の使用者への消耗品の供給を管理する消耗品供給管理装置の動作を制御するプログラムであって、
前記消耗品供給管理装置においては、前記測定装置の使用者における消耗品の在庫状況に関する情報を含む消耗品在庫データを記憶する在庫データ記憶部が設けられ、
前記測定装置においては、消耗品の消費状況に関する情報を含む、当該測定装置の稼働状況データが作成され、当該測定装置で使用される前記消耗品が、１検体につき１単位が使用される検体用消耗品を含み、
前記測定装置から前記通信回線を介して、各測定についての測定時刻を含む稼働状況データを受信し、
受信した前記稼働状況データに基づいて、前記測定装置における前記消耗品の消費量を求め、
前記消費量に基づいて、前記在庫データ記憶部における前記消耗品在庫データを更新し、
更新された前記消耗品在庫データに基づいて、前記測定装置の使用者へ消耗品を供給する必要があるか否かを判断する処理を実行するとともに、前記消耗品の消費量を求める際に、複数の測定における前記測定時刻の差が所定時間内にあるとき、これら複数の測定が同一検体を用いた測定であると判断し、これら複数の測定における前記検体用消耗品の消費量を前記１単位と判断するプログラムを記録したプログラム記録媒体。
【発明の詳細な説明】
技術分野
本発明は、例えば臨床検査用分析装置のように消耗品を用いる測定装置に対し、前記消耗品を適時適量供給する消耗品供給管理システムに関する。
背景技術
従来、医療機関等で臨床検査用測定装置が広く用いられている。従来の臨床検査用測定装置の中には、通信機能を持ち、コンピュータにデータ等を送信することが可能な装置もあり、医療機関内のパーソナルコンピュータまたはホストコンピュータ等に接続したり、電話回線等の公衆網等を介して医療機関外のコンピュータと接続したりすることにより、測定装置で得られたデータ等をコンピュータに集約して処理するシステムも知られている。
臨床検査用測定装置は、試薬（試験紙および試験片を含む）等を使用して測定を行うが、これらは使い捨てであるので、臨床検査用分析装置の使用者は、これらの消耗品の在庫量および消費量を管理し、在庫がなくなる時期を予測して、適切な時期に適切な量の消耗品を購入すべく発注を行う必要があった。
しかしながら、発注のし忘れや、消耗品の使用状況についての情報伝達の不備等により、消耗品の供給が間に合わないこともあり、その場合に測定作業に支障をきたすという問題があった。また、試薬メーカーおよび卸業者等の消耗品供給者にとっては、分析装置の使用者からの発注があってから商品の発送を行うので、欠品を防ぐために在庫を多めに確保しておく必要があり、物流コストが高くなるという問題がある。
本発明はこれらの問題を解決するために、測定装置の使用者が消耗品の在庫管理および発注処理等を行わなくても、常に必要かつ十分な量の消耗品在庫を確保できると共に、消耗品の供給者にとっては、在庫量の適正化により物流コストを削減できる消耗品供給管理システムを提供することを目的とする。
発明の開示
上記の目的を達成するために、本発明の消耗品供給管理装置は、消耗品を使用する測定装置と通信回線を介して接続され、前記測定装置の使用者への消耗品の供給を管理する消耗品供給管理装置であって、前記測定装置において、消耗品の消費状況に関する情報を含む稼働状況データが作成され、前記測定装置の使用者における消耗品の在庫状況に関する情報を含む消耗品在庫データを記憶する在庫データ記憶部と、前記測定装置から前記通信回線を介して前記稼働状況データを受信するデータ受信部と、前記データ受信部により受信した前記稼働状況データに基づいて前記測定装置における前記消耗品の消費量を求め、前記在庫データ記憶部における前記消耗品在庫データを更新するデータ処理部と、前記データ処理部により更新された前記消耗品在庫データに基づいて、前記測定装置の使用者へ消耗品を供給する必要があるか否かを判断する供給判断部とを備えたことを特徴とする。
この構成によれば、消耗品供給管理装置は、通信回線を介して測定装置における消耗品の消費状況に関する情報を受信し、これに基づいて前記消耗品の在庫状況に関するデータを更新し、前記消耗品を供給する必要があるか否かを判断する。
これにより、消耗品の供給者にとって、消耗品の需要予測が容易となるので、生産計画を立てやすく、在庫量の適正化により物流コストを下げることができる、という効果を奏する消耗品供給管理装置を提供することができる。また、消耗品の供給者がこの消耗品供給管理装置を用いて消耗品の供給管理を確実に行うことにより、測定装置の使用者にとっては、消耗品の在庫管理および発注処理等を行わなくても、常に必要かつ十分な量の消耗品在庫を確保でき、在庫不足により測定に支障をきたすことがないという利点がある。
前記消耗品供給管理装置は、前記供給判断部が消耗品を供給する必要があると判断した場合に、前記使用者へ当該消耗品を供給するための手続きを行う供給処理部をさらに備えたことが好ましい。
この構成によれば、消耗品の供給者が使用者へ消耗品の供給手続を行う手間を省くことができ、消耗品の供給管理をより効率的に行うことが可能となる。
前記消耗品供給管理装置は、前記測定装置の使用者における消耗品の在庫必要数が予め定められ、前記供給判断部が、前記データ処理部により更新された前記消耗品の在庫量と、前記在庫必要数とを比較することにより、前記測定装置の使用者へ消耗品を供給する必要があるか否かを判断することが好ましい。
この構成によれば、前記測定装置の使用者における消耗品の在庫必要数を予め適切に定めることにより、消耗品の在庫が底をつく前に新しい消耗品を供給することができ、過剰在庫を生じたり、またはその逆に、在庫不足により測定に支障をきたしたりするといった不都合を回避することができる。
前記消耗品供給管理装置は、前記供給処理部が、前記使用者へ供給する消耗品の数量を、当該使用者について予め定められた数量とすることが好ましい。
この構成によれば、使用者へ供給すべき消耗品の数量を予め適切に定めておくことにより、在庫が少なくなったときに、常に所定量の消耗品を供給することができる。これにより、使用者にとっては、１回に供給される消耗品の量が予め分かっているので在庫管理が容易であり、消耗品の供給者にとっても、生産計画等を立てやすいという利点がある。
前記消耗品供給管理装置は、前記供給処理部が、前記使用者へ供給する消耗品の数量を、当該使用者における前記消耗品の消費実績より決定することが好ましい。
この構成によれば、各使用者における消耗品の消費実績に応じて、１回に供給すべき消耗品の数量を適切に決定することにより、例えば、消費量の少ない使用者において消耗品が未使用のまま期限切れとなる等の無駄をなくすことが可能となる。
前記消耗品供給管理装置は、前記供給処理部が、前記使用者へ供給する消耗品の数量を、当該消耗品の消費量の時期変動に応じて決定することが好ましい。
この構成によれば、例えば健康診断の多い時期に健康診断用の消耗品の供給量を多くすること等により、使用者における需要に応じて適切な量の消耗品を供給することができ、消耗品の在庫量の適正化を図ることが可能となる。
前記消耗品供給管理装置は、前記供給処理部が、複数の使用者へ同種の消耗品を供給する手続きを行う場合、当該消耗品の消費量が多い使用者に対し、前記消費量が少ない使用者よりも、有効期限の近いロットを供給すべく手続きを行うことが好ましい。
この構成によれば、複数の使用者へ同種の消耗品を供給する手続きを行う場合、消耗品の消費量が多い使用者ほど有効期限が近いロットの消耗品を供給することにより、消耗品が未使用のまま期限切れとなる無駄をなくすことができる。
前記消耗品供給管理装置は、前記測定装置で使用される前記消耗品が、１検体につき１単位が使用される検体用消耗品を含み、前記稼働状況データが、各測定についての測定時刻を含み、前記データ処理部が、複数の測定における前記測定時刻の差が所定時間内にあるとき、これら複数の測定が同一検体を用いた測定であると判断し、これら複数の測定における前記検体用消耗品の消費量を前記１単位とすることが好ましい。なお、前記検体用消耗品の１単位は、検体容器およびサンプリング用チップの少なくとも一方を含むことがさらに好ましい。
この構成によれば、例えば、１検体からサンプリングした試料を複数の試験片に点着させて複数項目の測定を行うとき等に、１検体に対する測定回数が複数回にわたっても、検体用消耗品の消費量を正しく求めることができる。
上記の目的を達成するために、本発明にかかる消耗品供給管理システムは、消耗品を使用する測定装置と、前記測定装置の使用者への消耗品の供給を管理する消耗品供給管理装置とを、通信回線を介して接続した消耗品供給管理システムであって、前記測定装置が、消耗品の消費状況に関する情報を含む稼働状況データを記憶する稼働状況記憶部と、前記稼働状況データを前記通信回線を介して前記消耗品供給管理装置へ送信するデータ送信部とを備え、前記消耗品供給管理装置が、前記測定装置の使用者における消耗品の在庫状況に関する情報を含む消耗品在庫データを記憶する在庫データ記憶部と、前記測定装置から前記通信回線を介して前記稼働状況データを受信するデータ受信部と、前記データ受信部により受信した前記稼働状況データに基づいて前記測定装置における前記消耗品の消費量を求め、前記在庫データ記憶部における前記消耗品在庫データを更新するデータ処理部と、前記データ処理部により更新された前記消耗品在庫データに基づいて、前記測定装置の使用者へ消耗品を供給する必要があるか否かを判断する供給判断部とを備えたことを特徴とする。
このシステムによれば、測定装置が消耗品の消費状況に関する情報を消耗品供給管理装置へ送信する一方、消耗品供給管理装置が、この情報を受信し、これに基づいて前記消耗品の在庫状況に関するデータを更新し、更新された在庫データに基づき、測定装置の使用者に対して消耗品を供給する必要がある否かを判断する。
これにより、消耗品の供給者にとっては、消耗品の需要予測が容易となるので生産計画を立てやすく、在庫量の適正化により物流コストを下げることができると共に、測定装置の使用者にとっては、消耗品の在庫管理および発注処理等を行わなくても、消耗品の供給者から常に必要かつ十分な量の消耗品在庫が供給され、在庫不足により測定に支障をきたすことがない、という効果を奏する消耗品供給管理システムを提供できる。
前記消耗品供給管理システムは、前記消耗品供給管理装置が、前記供給判断部が消耗品を供給する必要があると判断した場合に、前記使用者へ当該消耗品を供給するための手続きを行う供給処理部をさらに備えたことが好ましい。
この構成によれば、消耗品の供給者が使用者へ消耗品の供給手続を行う手間を省くことができ、消耗品の供給管理をより効率的に行うことが可能となる。
前記消耗品供給管理システムは、前記測定装置の使用者における消耗品の在庫必要数が予め定められ、前記消耗品供給管理装置の供給判断部が、前記データ処理部により更新された前記消耗品の在庫量と、前記在庫必要数とを比較することにより、前記測定装置の使用者へ消耗品を供給する必要があるか否かを判断することが好ましい。
このシステムによれば、前記測定装置の使用者における消耗品の在庫必要数を予め適切に定めることにより、消耗品の在庫が底をつく前に新しい消耗品を供給することができ、過剰在庫を生じたり、またはその逆に、在庫不足により測定に支障をきたしたりするといった不都合を回避することができる。
前記消耗品供給管理システムは、前記消耗品供給管理装置の供給処理部が、前記使用者へ供給する消耗品の数量を、当該使用者について予め定められた数量とすることが好ましい。
このシステムによれば、使用者へ供給すべき消耗品の数量を予め適切に定めておくことにより、在庫が少なくなったときに、常に所定量の消耗品を供給することができる。これにより、使用者にとっては、１回に供給される消耗品の量が予め分かっているので在庫管理が容易であり、消耗品の供給者にとっても、生産計画等を立てやすいという利点がある。
前記消耗品供給管理システムは、前記消耗品供給管理装置の供給処理部が、前記使用者へ供給する消耗品の数量を、当該使用者における前記消耗品の消費実績より決定することが好ましい。
このシステムによれば、各使用者における消耗品の消費実績に応じて、１回に供給すべき消耗品の数量を適切に決定することにより、例えば、消費量の少ない使用者において消耗品が未使用のまま期限切れとなる等の無駄をなくすことが可能となる。
前記消耗品供給管理システムは、前記消耗品供給管理装置の供給処理部が、前記使用者へ供給する消耗品の数量を、当該消耗品の消費量の時期的変動に応じて決定することが好ましい。
この構成によれば、例えば健康診断の多い時期に健康診断用の消耗品の供給量を多くすること等により、使用者における需要に応じて適切な量の消耗品を供給することができ、消耗品の在庫量の適正化を図ることが可能となる。
前記消耗品供給管理システムは、前記消耗品供給管理装置の供給処理部が、複数の使用者へ同種の消耗品を供給する手続きを行う場合、当該消耗品の消費量が多い使用者へ、前記消費量が少ない使用者よりも有効期限の近いロットを供給すべく手続きを行うことが好ましい。
このシステムによれば、複数の使用者へ同種の消耗品を供給する手続きを行う場合、消耗品の消費量が多い使用者ほど有効期限が近いロットの消耗品を供給することにより、消耗品が未使用のまま期限切れとなるような無駄をなくすことができる。
前記消耗品供給管理システムは、前記測定装置で使用される前記消耗品が、１検体につき１単位が使用される検体用消耗品を含み、前記稼働状況データが、各測定についての測定時刻を含み、前記データ処理部が、複数の測定における前記測定時刻の差が所定時間内にあるとき、これら複数の測定が同一検体を用いた測定であると判断し、これら複数の測定における前記検体用消耗品の消費量を前記１単位とすることが好ましい。なお、前記検体用消耗品の１単位が、検体容器およびサンプリング用チップの少なくとも一方を含むことがさらに好ましい。
このシステムによれば、例えば、１検体からサンプリングした試料を複数の試験片に点着させて複数項目の測定を行うとき等に、１検体に対する測定回数が複数回にわたっても、検体用消耗品の消費量を正しく求めることができる。
上記の目的を達成するために、本発明にかかる測定装置は、消耗品を使用する測定装置であって、前記消耗品の消費状況に応じて前記消耗品の供給を管理する消耗品供給管理装置と、通信回線を介して接続され、前記消耗品の消費状況に関する情報を含む稼働状況データを記憶する稼働状況記憶部と、前記稼働状況データを前記通信回線を介して前記消耗品供給管理装置へ送信するデータ送信部とを備えたことを特徴とする。
この構成によれば、測定装置における消耗品の消費状況が、消耗品供給管理装置へ通信回線を介して送信され、消耗品供給管理装置では、受信した消費状況に関する情報に基づいて、消耗品の供給を管理する。これにより、使用者が消耗品の在庫管理を行う必要のない測定装置を提供することができる。
上記の目的を達成するために、本発明にかかるプログラム記録媒体は、消耗品を使用する測定装置と通信回線を介して接続され、前記測定装置の使用者への消耗品の供給を管理する消耗品供給管理装置の動作を制御するプログラムであって、前記消耗品供給管理装置においては、前記測定装置の使用者における消耗品の在庫状況に関する情報を含む消耗品在庫データを記憶する在庫データ記憶部が設けられ、前記測定装置においては、消耗品の消費状況に関する情報を含む稼働状況データが作成され、前記測定装置から前記通信回線を介して前記稼働状況データを受信し、受信した前記稼働状況データに基づいて、前記測定装置における前記消耗品の消費量を求め、前記消費量に基づいて、前記在庫データ記憶部における前記消耗品在庫データを更新し、更新された前記消耗品在庫データに基づいて、前記測定装置の使用者へ消耗品を供給する必要があると判断した場合に、前記使用者へ当該消耗品を供給するための手続きを行う処理を実行するプログラムを記録したことを特徴とする。
これにより、記録されているプログラムをＣＰＵ等に実行させることにより、測定装置の使用者が、消耗品の在庫管理および発注処理等を行わなくても、常に必要かつ十分な量の消耗品在庫を確保できると共に、消耗品の供給者にとっては、消耗品の在庫量の適正化により物流コストを下げることができる消耗品供給管理装置を実現できる。
発明を実施するための最良の形態
（実施の形態１）
以下、本発明の一実施形態について、図面を参照しながら説明する。
本実施形態にかかる消耗品供給システムは、臨床検査用分析装置を使用する医療機関等に対し、この臨床検査用分析装置で使用される消耗品を適切に供給することを目的とするものである。
このため、図１に示すように、本消耗品供給システムにおいては、医療機関Ａ，Ｂ…のそれぞれに設置され使用される臨床検査用分析装置１と、消耗品供給者Ｃのコンピュータ２（消耗品供給管理装置）とが、通信回線１０を介して接続されている。なお、消耗品供給者Ｃは、上記した臨床検査用分析装置１の製造業者、消耗品の製造業者、卸業者、またはこれら以外の第三者のいずれであっても良い。
各医療機関の臨床検査用分析装置１は、消耗品の使用状況に関する情報を蓄積し、通信回線１０を介してコンピュータ２へ送信する。コンピュータ２は、各医療機関における消耗品の残量を把握し、消耗品の在庫がなくなる前に、消耗品の発送手続きを行う。
これにより、臨床検査用分析装置１を使用する医療機関Ａ，Ｂ…における、消耗品の在庫管理や発注処理の手間をなくすと共に、消耗品供給者Ｃ側での余剰在庫の削減や物流コストの低減を図るものである。
以下、本消耗品供給システムの構成および動作の詳細について説明する。
最初に、臨床検査用分析装置１について説明する。
臨床検査用分析装置１は、アークレイ株式会社製の従来の臨床化学自動分析装置（商品名スポットケム、機種番号ＳＰ−４４２０）と同様に、後述するシングル試験片およびマルチ試験片を用いて、複数項目についての検査を行うことができる。
臨床検査用分析装置１で使用される消耗品は、上記の試験片の他、校正時に用いる管理用試料、検体容器、および検体を検体容器からサンプリングする時に用いるチップ等であり、消耗品供給者Ｃから供給される。
臨床検査用分析装置１で使用される試験片には、１項目を測定するためのシングル試験片と、１本の試験片に２〜６項目の試験紙パッドが搭載されたマルチ試験片の２種類がある。マルチ試験片は、用途に応じて最大６項目の試験紙パッドが１つの試験片にまとめられているので、１回の測定操作で必要な項目すべての検査データを得ることができ、コストパフォーマンスに優れている。従って、臨床検査用分析装置１で検査を行う場合は、用途及び目的に応じたシングル試験片またはマルチ試験片を選択して使用することとなる。
例えば、特定の疾患で通院している患者の場合、通常、特定項目についての検査のみで良いので、例えば糖尿病患者であれば、ＧＬＵ用のシングル試験片を用いて検査を行い、肝機能障害の患者であれば、ＧＯＴ用のシングル試験片やＧＰＴ用のシングル試験片をそれぞれ使用する。
一方、初診の患者に対しては、ＧＰＴ，ＧＯＴ，ＢＵＮ，ＧＬＵ，Ｔ−Ｃｈｏ，およびＴ−Ｂｉｌの６項目の試験紙パッドが搭載された、一般スクリーニング用のマルチ試験片を用いて、一度に６項目の検査を行うことが効率的である。
消耗品供給者Ｃが提供するマルチ試験片の他の例としては、肝機能検査用（ＬＤＨ，Ａｌｂ，ＧＰＴ，ＧＯＴ，Ｔ−Ｐｒｏ，およびＴ−Ｂｉｌの６項目）、腎機能検査用（ＣＲＥ，Ａｌｂ，Ｔ−Ｐｒｏ，ＵＡ，およびＢＵＮの５項目）、または循環機能検査用（ＬＤＨ，ＣＰＫ，ＧＯＴ，Ｔ−Ｐｒｏ，ＢＵＮ，およびＴ−Ｃｈｏの６項目）等、様々な種類を挙げることができる。
なお、臨床検査用分析装置１では、６本のシングル試験片と１本のマルチ試験片を同時に検査することができるので、一度に最大１２項目の１検体プロファイル検査が可能である。
ここで、本臨床検査用分析装置の機能的な構成について、図２を参照しながら説明する。
図２に示すように、臨床検査用分析装置１は、制御部１１、測定部１２、タッチパネル１３、測定条件記憶部１４、演算処理部１５、稼働状況記憶部１６、通信制御部１７、時計１８、磁気カードリーダ１９、およびプリンタ２０を備えている。
制御部１１は、ＣＰＵ等により構成され、臨床検査用分析装置１の全体動作を制御する。測定部１２は、試験片載置台、検体容器載置台、チップカートリッジ載置台、サンプリングノズル、および測光部を備え、測定を行う。
測定部１２の試験片載置台は、前述したように、シングル試験片６本と、マルチ試験片１本をセットできるように構成されている。検体容器設置台は、検体容器をセットできるように構成されている。
サンプリングノズルは、検体間のコンタミネーションを避けるために、一検体毎に使い捨てのチップを、ノズル先端に装着するようになっており、検体容器から検体を吸入し、試験片の試験紙パッドに点着する。なお、前記チップの装着は、自動的に行われる。
チップカートリッジ載置台には、前記チップを搭載したチップカートリッジがセットされる。前記チップは、使い捨てであり、試験片への検体の点着が終了した後、サンプリングノズルにより自動的にチップカートリッジに戻され、検査終了後にチップカートリッジごと廃棄される。
このように、サンプリングノズルへのチップの装着および取り外しが自動的に行われるので、操作者がチップに直接触れずに済み、感染を防止することができる。
測光部は、検体が点着された試験片に、測定項目に応じた波長の光を入射させ、その反射光を測定することにより、当該項目の濃度等を検出する。マルチ試験片の場合は、試験片上の各測定項目の試験紙パッドに、それぞれの測定項目に応じた波長の光を入射させて測定を行う。
タッチパネル１３は、液晶パネル等により構成され、操作指示等を表示すると共に、画面上に表示されたオブジェクトに操作者が指で触れることにより、入力操作ができる。測定条件記憶部１４は、各測定項目についての測定条件、すなわち、サンプリングノズルの動作手順や、測光部で用いる検査光の波長等を記憶している。演算処理部１５は、測定部１２で得られた測定データに対する補正演算等を行う。
稼働状況記憶部１６は、臨床検査用分析装置１で行ったすべての測定についての測定状況として、測定日時、測定項目、および測定数を記憶する。通信制御部１７は、消耗品供給者Ｃが所有するコンピュータ２と、電話網等の通信回線１０を介して通信を行う。時計１８は、測定日時等を取得するために設けられている。プリンタ２０は、検査結果等を印字出力する。
磁気カードリーダ１９は、校正用情報等を装置に入力するために設けられている。なお、校正用情報は、試験片を供給するメーカーが試験片のロット毎に作成して磁気カードに記録し、この磁気カードを添付して試験片を出荷するようになっている。これにより、臨床検査用分析装置１の使用者は、使用する試験片のロット番号が変わったときに、磁気カードリーダ１９により、新たに使用する試験片に同封されている磁気カードから校正用情報を読み取るだけの簡単な操作により、校正を行うことができる。
次に、コンピュータ２の機能的な構成について説明する。
図３に示すように、コンピュータ２は、制御部２１、顧客情報記憶部２２、消費データ記憶部２３、顧客在庫データ記憶部２４、データ処理部２５、通信制御部２６、一時記憶部２７、発送処理部２８、および時計２９を備えている。
制御部２１は、コンピュータ２の動作全体を制御する。通信制御部２６は、各医療機関の臨床検査用分析装置１と通信回線１０を介して接続し、データ等の送受信を行う。一時記憶部２７は、通信制御部２６で受信したデータ等を一時的に記憶するために設けられている。
顧客情報記憶部２２は、臨床検査用分析装置１を使用している医療機関に関する情報として、通信回線１０を介して通信を行う際の宛先（例えば電話番号または電子メールアドレス）や、その他、住所等の種々の情報を記憶する。データ処理部２５は、後に詳しく説明するが、各医療機関の臨床検査用分析装置１から送信される情報に基づいて、各医療機関における消耗品の消費量および在庫量を算出する。
消費データ記憶部２３は、データ処理部２５で算出された、各医療機関における消耗品の消費量等を記憶する。顧客在庫データ記憶部２４は、データ処理部２５で算出された、各医療機関における消耗品の在庫量等を記憶する。発送処理部２８は、医療機関へ消耗品を供給するために、例えば出庫伝票や発送伝票等を作成する等の手続きを行う。時計２９は、日時情報を取得するために設けられている。
ここで、顧客在庫データ記憶部２４に記憶されているデータの例を示す。顧客在庫データ記憶部２４には、医療機関Ａ，Ｂ…毎に、消耗品供給者Ｃから購入した消耗品についての情報が、図４に示す試験片データと、図５に示す試験片外消耗品データとに分けて記憶されている。
図４に示すように、試験片データは、各医療機関における試験片の購入状況を表すものであり、各医療機関が消耗品供給者Ｃから試験片を購入する毎に、試験片種別ごとに、購入数量、ＬＯＴ番号、購入日、在庫必要数、および残量が入力される。
前記の在庫必要数は、消耗品種別毎に、各医療機関における過去の消費実績等を考慮して、適当な数量が定められている。あるいは、消耗品供給者Ｃと各医療機関との間の契約によって適切な数量を定めておいても良い。前記の残量は、初期値として購入数量が設定され、後に説明するように、臨床検査用分析装置１から稼働状況データの送信がある毎に更新される。
なお、図４に例示した試験片データにおいて、試験片種別欄の「ＧＯＴ」、「ＧＰＴ」、「ＧＬＵ」、「ＢＵＮ」は、これらの項目を検査するためのシングル試験片を表す。一方、「スクリーニング１」、「スクリーニング２」、「循環機能」は、これらの検査用途に用いられるマルチ試験片の種別を表している。
また、図５に示すように、試験片外消耗品データは、臨床検査用分析装置１で使用される、試験片以外の消耗品、すなわち、検体容器、チップ（チップカートリッジ）、および管理試料についての、各医療機関の購入状況を表す。顧客在庫データ記憶部２４には、医療機関Ａ，Ｂ…のそれぞれについて、種別ごとに、購入数量、購入日、在庫必要数、および残量が記憶されている。
なお、一医療機関が複数台の臨床検査用分析装置１を有する場合には、その台数分の試験片データおよび試験片外消耗品データの組み合わせが、顧客在庫データ記憶部２４に記憶される。
次に、本消耗品供給システムにおける、臨床検査用分析装置１への消耗品供給の仕組みについて、図６〜図１１を参照しながら説明する。
最初に、臨床検査用分析装置１の動作について説明する。
臨床検査用分析装置１では、操作者によって測定が開始され（図６のステップＳ１にて測定モードを選択）、測定部１２において測定が実行される毎に（ステップＳ２）、制御部１１が、時計１８から測定日時を取得する（ステップＳ３）と共に、測定部１２から、測定に使用された試験片種別およびそのＬＯＴ番号、並びに測定数を取得し（ステップＳ４）、例えば図７に示すように、稼働状況記憶部１６に記憶する（ステップＳ５）。
ステップＳ５の処理が正常に終了すると、制御部１１は、ステップＳ１へ制御を戻す。
また、臨床検査用分析装置１は、予め定められた時刻に、通信回線１０を介して、消耗品供給者Ｃのコンピュータ２へ、稼働状況記憶部１６に記憶されているデータを送信する。すなわち、制御部１１は、時計１８から取得する日時情報に基づいて、所定の時刻になったことを検知すると、ステップＳ１において送信モードを選択し、ステップＳ６以降の処理を開始する。
まず、制御部１１は、通信制御部１７に命令を送り、通信回線１０を介して消耗品供給者Ｃのコンピュータ２と接続を確立させる（ステップＳ６）。接続が確立されると、制御部１１は、稼働状況記憶部１６から、稼働状況データ（測定日時、使用された試験片の種別とＬＯＴ番号、および測定数）を取り出し（ステップＳ７）、通信制御部１７からコンピュータ２へ送信させる（ステップＳ８）。
コンピュータ２への稼働状況データの送信が正常に終了すると、制御部１１は、通信制御部１７に接続を切断させ（ステップＳ９）、稼働状況記憶部１６の内容をクリアし（ステップＳ１０）、ステップＳ１へ制御を戻す。
次に、消耗品供給者Ｃのコンピュータ２の動作について以下に説明する。なお、コンピュータ２は、種々のアプリケーションプログラムを読み込んで実行することにより様々な処理を行うことが可能であるが、ここでは、コンピュータ２の動作のうち、消耗品の供給に関係する処理として、臨床検査用分析装置１から稼働状況データを受信する処理（受信モード）と、各医療機関へ必要な消耗品の発送手続きを行う処理（発送処理モード）についてのみ説明する。
最初に、前記受信モードの動作手順について説明する。
この受信モードの処理は、臨床検査用分析装置１から稼働状況データを送信するための接続要求（図６のステップＳ６）があったときに、制御部２１により開始される。
まず、制御部２１は、通信制御部２６により、臨床検査用分析装置１からの接続要求に応答して、臨床検査用分析装置１との間で接続を確立させる（ステップＳ１２）。続いて、制御部２１は、通信制御部２６に、通信回線１０を介して臨床検査用分析装置１から送信される稼働状況データを受信させ（ステップＳ１３）、受信した稼働状況データを、一時記憶部２７に記憶させる（ステップＳ１４）。ステップＳ１３およびステップＳ１４の処理が正常に終了すると、制御部２１は、通信制御部２６に接続を切断させる（ステップＳ１５）。
次に、制御部２１は、データ処理部２５に命令を送り、一時記憶部２７に記憶された稼働状況データに基づいて、医療機関における消耗品の消費量を求めさせる（ステップＳ１６）。
ここで、図７に示した稼働状況データを臨床検査用分析装置１から受信したものとして、前記ステップＳ１６においてデータ処理部２５が行う処理について、具体的に説明を行う。
図７に示す稼働状況データの場合、ｄ１〜ｄ１３の１３件のデータを含んでいる。データ処理部２５は、各データの測定日時を比較し、ｄ１およびｄ２の組み合わせ、ｄ３およびｄ４の組み合わせ、並びにｄ５およびｄ６の組み合わせのように、測定日時が互いに等しい複数のデータがある場合、これら複数のデータは同一検体についての測定を行ったときのものと判断する。
つまり、ｄ１およびｄ２を例にとれば、これらのデータは、検体容器に１つの検体をセットし、この検体をＧＰＴ用試験片およびＧＯＴ用試験片にそれぞれ点着させて、測定を行った際のデータであると判断される。従って、ｄ２およびｄ２に示される測定を行った際に消費された消耗品の数は、ＧＰＴ用試験片が１本、ＧＯＴ用試験片が１本、検体容器が１個、チップが１個である。ｄ３およびｄ４の組み合わせ、並びにｄ５およびｄ６の組み合わせについても同様である。
この結果、データ処理部２５により、図７に示す稼働状況データから、図９に示すような消耗品消費データが作成される。なお、ステップＳ１６において、同一検体について測定を行ったものと判断する基準は、上述のように測定日時が正確に等しいことに限定されず、例えば、１回の測定の所要時間等を考慮して、複数のデータの測定日時の差が所定時間内にあることを前記基準としてもよい。
データ処理部２５により作成された消耗品消費データは、消費データ記憶部２３に送られ、記憶される（ステップＳ１７）。ステップＳ１７の処理が正常に終了すると、制御部２１は、ステップＳ１１へ制御を戻す。
次に、コンピュータ２の発送処理モードの動作手順について説明する。
コンピュータ２の制御部２１は、時計２９から取得する日時情報に基づき、毎日所定の時刻になると、ステップＳ１８以降の処理を開始する。
まず、制御部２１は、データ処理部２５に命令を送り、医療機関Ａの臨床検査用分析装置１に関して、消費データ記憶部２３に記憶させた消耗品消費データに基づいて、顧客在庫データ記憶部２４に記憶されているデータを更新させる（ステップＳ１８）。
例えば、図９に示す消耗品消費データに基づけば、図４に示す試験片データおよび図５に示す試験片外消耗品データは、試験片消費量、チップ消費量、検体容器消費量、および管理試料消費量のそれぞれの残量から減ずることにより、図１０および図１１に示すように更新される。
なお、上記ステップＳ１８にて、試験片データにおいて、同一種別の消耗品について、ＬＯＴ番号が異なる複数のレコードが存在する場合には、対応するＬＯＴ番号毎に残量更新する。ＬＯＴ番号のない、試験片外消耗品データにおいて、同一種別の消耗品について、購入日が異なる複数のレコードが存在する場合には、同一品とみなして両者を合算することにより、更新後の残量を算出する。
なお、医療機関Ａが複数台の臨床検査用分析装置１を有する場合には、そのすべての臨床検査用分析装置１について、前記ステップＳ１８の処理を行う。
次に、制御部２１は、データ処理部２５に命令を送り、更新された試験片データおよび試験片外消耗品データを参照し、医療機関Ａにおいて、各消耗品の残量が在庫必要数を下回ったものがあるか、すなわち、供給すべき消耗品があるか、を判断させる（ステップＳ１９）。
例えば、図１０の試験片データおよび図１１の試験片外消耗品データの場合、医療機関ＡにおけるＧＯＴ用試験片およびＧＰＴ用試験片の残量が、在庫必要数を下回っていることが分かる。
上記ステップＳ１９において、試験片データにおいて、同一種類の消耗品について、ＬＯＴ番号が異なる複数のレコードが存在する場合には、これら複数のレコードにおける残量の総和を算出し、算出した総和と在庫必要数とを比較することにより、その消耗品を供給すべきか否かを判断する。また、ＬＯＴ番号のない、試験片外消耗品データにおいて、同一種別の消耗品について、購入日が異なる複数のレコードが存在する場合には、これら複数のレコードにおける残量の総和を算出し、算出した総和と在庫必要数とを比較することにより、その消耗品を供給すべきか否かを判断する。
制御部２１は、供給すべき消耗品がある場合（ステップＳ１９にてＹＥＳ）、発送処理部２８に命令を送り、当該消耗品を適当な数量供給すべく、発送手続きを行わせる（ステップＳ２０）。
なお、ステップＳ２０において供給する消耗品の数量は、当該医療機関における当該消耗品の消費実績等を考慮して適切に決定すればよい。あるいは、消耗品供給者Ｃと各医療機関との契約により予め適当な数量を決定しておいてもよい。
制御部２１は、医療機関ＡについてステップＳ２０の処理を終了した後、すべての医療機関について発送処理を行ったか否かを判断し（ステップＳ２１）、ステップＳ２１の判断結果がＹＥＳになるまで、まだ発送処理を行っていない医療機関を選択し（ステップＳ２２）、ステップＳ１８〜Ｓ２０の処理を行うことを繰り返す。
すべての医療機関について、ステップＳ２０の発送手続きが完了すると、発送した消耗品に関するデータが、顧客在庫データ記憶部２４に追加入力される。この追加入力は、コンピュータ２の操作者が発送伝票等に基づいて手入力しても良いし、消耗品供給者Ｃ内の在庫管理システム等と連動させて、このような外部システムから自動的に入力されるようにしてもよい。
なお、ステップＳ２０の発送手続きにおいて、例えば、医療機関Ａと医療機関Ｂとに、同一消耗品を発送する場合に、これらの医療機関における当該消耗品の消耗速度を比較し、いずれかの医療機関における当該消耗品の消耗速度が他方よりも十分に高い場合には、消耗速度が速い方へ有効期限の近い消耗品を選択して発送するようにしてもよい。
以上のように、本実施形態にかかる消耗品供給システムによれば、臨床検査用分析装置１の使用者（医療機関）が消耗品の在庫管理および発注処理等を行わなくても、常に所定量以上の消耗品在庫を確保でき、在庫不足により検査に支障をきたすことがない。また、消耗品供給者にとっては、需要予測が容易となるので生産計画を立てやすく、消耗品の在庫量の適正化により物流コストを下げることができる。
なお、上記の説明では、各臨床検査用分析装置１が所定時刻に稼働状況データの送信を行うものとしたが、これに限定されず、臨床検査用分析装置１の稼働状況記憶部１６に所定件数のデータが蓄積されたときに送信を行うようにしてもよい。あるいは、臨床検査用分析装置１において測定を行う毎に送信を行うようにしてもよい。
また、各臨床検査用分析装置１が自発的に稼働状況データを送信するのではなく、コンピュータ２から各臨床検査用分析装置１へ定期的にデータ送信要求を送り、このデータ送信要求に応じて臨床検査用分析装置１が稼働状況データを送信するようにしてもよい。
さらに、上記の説明では、臨床検査用分析装置１の通信制御部１７と、コンピュータ２の通信制御部２６とが、通信回線１０を介して直接的に接続を確立する例を示したが、臨床検査用分析装置１とコンピュータ２との通信方式はこのような直接接続に限定されず、インターネット経由（プロバイダのサーバ経由）等であっても良い。
また、本実施形態では、コンピュータ２の制御部２１が、ステップＳ１９において、消耗品を供給する必要があるか否かをデータ処理部２５に判断させ、必要がある場合には、ステップＳ２０において、発送処理部２８に発送手続きを行わせるものとした。しかし、コンピュータ２において必ずしも発送手続きまで実行する必要はなく、例えば、ステップＳ１９の処理までをコンピュータ２で実行し、消耗品の発送手続き自体は人間が管理するようにしたり、あるいは、コンピュータ２とは独立に動作する他のコンピュータ等に発送手続きを行わせる仕組みにしてもかまわない。
さらに、本実施形態では、データ処理部２５が、消耗品在庫データの更新処理と、更新した消耗品在庫データに基づいて使用者への消耗品供給の要否を判断する処理との両方を行う構成としたが、この構成の代わりに、後者の処理を行う独立したブロックを備えた構成としてもよいし、後者の処理を発送処理部２８に実行させてもかまわない。
（実施の形態２）
本発明の実施にかかる他の形態について、以下に説明する。
本実施形態にかかる消耗品供給システムは、消耗品供給者Ｃのコンピュータ２における発送処理部２８が、消耗品消費量の季節変動を考慮して、各医療機関への消耗品供給量を調整する点において、実施の形態１にかかるシステムと異なっている。このように、消耗品消費量の季節変動が顕著である測定装置の例としては、尿分析装置を挙げることができる。
すなわち、本実施形態の消耗品供給システムでは、臨床検査用分析装置１として尿分析装置が用いられる。なお、本実施形態にかかる尿分析装置は、前記実施の形態１で説明した臨床検査用分析装置１と、測定部１２の構成および動作が尿の分析に特化される点においてのみ異なり、測定部１２以外の機能ブロックの構成および動作はほぼ同じであるので、その詳細な説明は省略する。本尿分析装置で用いられる消耗品としては、外来検査用試験紙および一般検診用試験紙の２種類の試験紙等がある。
ここで、尿分析装置の消耗品消費量の季節変動の様子を図１２に示す。図１２から分かるように、外来検査用試験紙の消費量は年間を通じてほぼ一定であるのに対し、一般検診用試験紙の消費量は、健康診断の多い月（特に５月）に顕著に増大する。
従って、本実施形態にかかる、消耗品供給者Ｃのコンピュータ２における発送処理部２８は、図８のステップＳ２０の発送手続きにおいて、各医療機関への一般検診用試験紙の供給量を、図１２に示すような月毎の消費量の変動に応じて調整する。
これにより、医療機関においては、消耗品消費量の多い時期でも消耗品の在庫不足により検査に支障をきたすことがない。また、消耗品供給者においては、需要予測が容易となるので生産計画を立てやすく、消耗品の在庫量の適正化を図ることができ、物流コストを下げることができる。
上記した各実施形態は、本発明を限定するものではなく、発明の範囲内で種々の変更が可能である。例えば、消耗品の種類は、各実施形態で具体的に列挙したものに限定されない。また、測定装置は、医療用途のみに限定されるものではない。
産業上の利用可能性
以上に説明したように、本発明によれば、測定装置の使用者が消耗品の在庫管理および発注処理等を行わなくても、常に必要かつ十分な量の消耗品在庫を確保できると共に、消耗品の供給者にとっては、在庫量の適正化により物流コストを削減することが可能な消耗品供給管理システムを提供できる。
【図面の簡単な説明】
図１は、本発明の一実施形態にかかる消耗品供給管理システムの構成を示すブロック図である。
図２は、前記消耗品供給管理システムにおける臨床検査用分析装置の構成を示すブロック図である。
図３は、前記消耗品供給管理システムにおける、消耗品供給者のコンピュータの構成を示すブロック図である。
図４は、前記コンピュータに記憶された消耗品在庫データの一例を示すものであり、各医療機関における試験片の購入状況を表す試験片データの構造を概念的に示す説明図である。
図５は、前記コンピュータに記憶された消耗品在庫データの一例を示すものであり、各医療機関における試験片以外の消耗品の購入状況を表す試験片外消耗品データの構造を概念的に示す説明図である。
図６は、前記臨床検査用分析装置の動作手順を示すフローチャートである。
図７は、前記臨床検査用分析装置の稼働状況データの一例を示す説明図である。
図８は、前記コンピュータの動作手順を示すフローチャートである。
図９は、前記コンピュータにおいて算出される、臨床検査用分析装置の消耗品消費量を示す説明図である。
図１０は、図４に示す試験片データを、図９に示す消耗品消費量に基づいて更新した結果を示す説明図である。
図１１は、図５に示す試験片外消耗品データを、図９に示す消耗品消費量に基づいて更新した結果を示す説明図である。
図１２は、本発明にかかる他の実施形態において測定装置として用いられる尿分析装置の月別の消耗品消費量を示すグラフである。
【図１】
0004785330.tif 000002
【図２】
0004785330.tif 000003
【図３】
0004785330.tif 000004
【図４】
0004785330.tif 000005
【図５】
0004785330.tif 000006
【図６】
0004785330.tif 000007
【図７】
0004785330.tif 000008
【図８】
0004785330.tif 000009
【図９】
0004785330.tif 000010
【図１０】
0004785330.tif 000011
【図１１】
0004785330.tif 000012
【図１２】
0004785330.tif 000013